(57)【要約】【課題】  フラッシュ撮影により取得した画像を利用して、フラッシュを使用しないで撮影した画像の画質を向上させることができる撮像装置を提供する。【解決手段】  第１画像及び第２画像を連続して撮像する撮像部と、被写体に対して発光する発光部と、撮像部が第１画像を撮像する場合に、撮像部が第２画像を撮像する場合より、発光部を強く発光させる発光制御部と、第１画像と第２画像との間における被写体の第１移動量を算出する移動量算出部と、第１移動量に基づいて第１画像に画像処理を施して第２補正画像を生成する画像生成部と、第２画像に代替して第２補正画像を格納する格納部とを備える。【選択図】図１
2005318450.tif 000002
【特許請求の範囲】
【請求項１】
第１画像及び第２画像を連続して撮像する撮像部と、
被写体に対して発光する発光部と、
前記撮像部が前記第１画像を撮像する場合に、前記撮像部が前記第２画像を撮像する場合より、前記発光部を強く発光させる発光制御部と、
前記第１画像と前記第２画像との間における被写体の第１移動量を算出する移動量算出部と、
前記第１移動量に基づいて前記第１画像に画像処理を施して第２補正画像を生成する画像生成部と、
前記第２画像に代替して前記第２補正画像を格納する格納部と
を備える撮像装置。
【請求項２】
前記画像生成部は、
前記第１移動量に基づいて前記第１画像が含む被写体を移動させて第１補正画像を生成する第１補正画像生成部と、
前記第１補正画像と前記第２画像を比較して、前記第１補正画像に含なれていなく前記第２画像に含まれている被写体の画像である補間画像を抽出する補間画像抽出部と、
前記第１補正画像と前記補間画像とを合成して前記第２補正画像を生成する第２補正画像生成部と
を有する請求項１に記載の撮像装置。
【請求項３】
前記画像生成部は、
前記第１画像と前記第２画像との輝度の違いを算出する輝度算出部と、
前記輝度の違いに基づいて、前記第２補正画像の輝度を補正する輝度補正部と
をさらに有する請求項２に記載の撮像装置。
【請求項４】
前記輝度算出部は、前記第１画像全体の平均輝度と前記第２画像全体の平均輝度との輝度差を算出し、
前記輝度補正部は、前記輝度差に基づいて、前記補間画像の輝度を補正する
請求項３に記載の撮像装置。
【請求項５】
前記輝度算出部は、前記補間画像の輝度と、前記第２補正画像における前記補間画像の周囲の輝度との輝度差を算出し、
前記輝度補正部は、前記輝度差に基づいて、前記補間画像の輝度を前記補間画像の周囲の輝度に合わせる補正をする
請求項３に記載の撮像装置。
【請求項６】
前記移動量算出部は、前記第１画像及び前記第２画像を複数の画素を含むブロックに分割し、前記ブロック毎に被写体の前記第１移動量を算出し、
前記画像生成部は、前記ブロック毎の前記第１移動量に基づいて前記第１画像の前記ブロック毎に画像処理を施して前記第２補正画像を生成する
請求項１に記載の撮像装置。
【請求項７】
前記発光制御部は、前記撮像部が前記第１画像を撮像する場合に前記発光部を発光させ、前記撮像部が前記第２画像を撮像する場合に前記発光部を発光させない
請求項１に記載の撮像装置。
【請求項８】
前記撮像部は、第１画素数の前記第１画像を撮像し、前記第１画素数より小さい第２画素数の前記第２画像を撮像する
請求項１に記載の撮像装置。
【請求項９】
前記撮像部は、
所定の数の撮像素子から構成され、前記第１画像を撮像する第１撮像デバイスと、
前記所定の数より少ない数の撮像素子から構成され、前記第２画像を撮像する第２撮像デバイスと
を有する請求項８に記載の撮像装置。
【請求項１０】
前記撮像部は、
前記第１画像をカラーで撮像する第１撮像デバイスと、
前記第２画像をモノクロで撮像する第２撮像デバイスと
を有する請求項１に記載の撮像装置。
【請求項１１】
前記撮像部は、前記第１画像、前記第２画像、及び第３画像を連続して撮像し、
前記発光制御部は、前記第３画像を前記撮像部が撮像する場合に、前記第１画像を前記撮像部が撮像する場合と同じ明るさで前記発光部を発光させ、
前記移動量算出部は、前記第１画像と前記第３画像との間における被写体の第２移動量を算出し、前記第１画像、前記第２画像、及び前記第３画像の撮像タイミング、並びに前記第２移動量に基づいて、前記第１移動量を算出する
請求項１に記載の撮像装置。
【請求項１２】
前記第１画像をフレーム間圧縮しないで前記格納部に格納させ、前記第２補正画像をフレーム間圧縮して前記格納部に格納させる画像圧縮部
をさらに備える請求項１に記載の撮像装置。
【請求項１３】
第１画像及び第２画像を連続して撮像する段階と、
前記第１画像を撮像する場合に前記第２画像を撮像する場合より強く発光する段階と、
前記第１画像と前記第２画像との間における被写体の第１移動量を算出する段階と、
前記第１移動量に基づいて前記第１画像に画像処理を施して第２補正画像を生成する段階と、
前記第２画像に代替して前記第２補正画像を格納する段階と
を備える撮像方法。
【発明の詳細な説明】
【技術分野】
【０００１】
本発明は、撮像装置及び撮像方法に関する。特に本発明は、フラッシュ撮影により取得した画像を利用して、フラッシュを使用しないで撮影した画像の画質を向上させる撮像装置及び撮像方法に関する。
【背景技術】
【０００２】
近年、静止画と動画との両方を撮影して記録することができるデジタルカメラが開発されている。このようなデジタルカメラを用いて、ユーザは、動画を撮影しながら、レリーズボタンを押下する等の動作によって静止画を撮影することができる。これにより、ユーザは、動画における所望のタイミングで静止画を撮影することができ、また静止画を撮影するときにフラッシュ撮影を行うことによって、暗い場所で動画を撮影している場合であっても高画質な静止画を取得することができる。
【０００３】
現時点で先行技術文献の存在を認識していないので、先行技術文献に関する記載を省略する。
【発明の開示】
【発明が解決しようとする課題】
【０００４】
上述のようなデジタルカメラによって、動画を撮影しながら動いている被写体の静止画を撮影しようとする場合に、所望のタイミングでレリーズボタンを押下することは難しく、所望のタイミングから少しの時間がずれたタイミングの静止画を撮影してしまうことがある。このような場合に、動画から所望のタイミングの静止画を抽出することもできるが、暗い場所で動画を撮影しつつ静止画をフラッシュ撮影した場合には、暗い動画からフラッシュ撮影したような高画質の静止画を抽出することができない。また、一般的なデジタルカメラでは、電池容量等の問題から、常に被写体に対して発光しながら動画を撮影することができないので、暗い場所で動画を撮影する場合には、フラッシュ撮影した高画質の静止画と同等の明るさの動画を取得することができない。
【０００５】
そこで本発明は、上記の課題を解決することができる撮像装置及び撮像方法を提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によると、第１画像及び第２画像を連続して撮像する撮像部と、被写体に対して発光する発光部と、撮像部が第１画像を撮像する場合に、撮像部が第２画像を撮像する場合より、発光部を強く発光させる発光制御部と、第１画像と第２画像との間における被写体の第１移動量を算出する移動量算出部と、第１移動量に基づいて第１画像に画像処理を施して第２補正画像を生成する画像生成部と、第２画像に代替して第２補正画像を格納する格納部とを備える。
【０００７】
画像生成部は、第１移動量に基づいて第１画像が含む被写体を移動させて第１補正画像を生成する第１補正画像生成部と、第１補正画像と第２画像を比較して、第１補正画像に含なれていなく第２画像に含まれている被写体の画像である補間画像を抽出する補間画像抽出部と、第１補正画像と補間画像とを合成して第２補正画像を生成する第２補正画像生成部とを有してもよい。
【０００８】
画像生成部は、第１画像と第２画像との輝度の違いを算出する輝度算出部と、輝度の違いに基づいて、第２補正画像の輝度を補正する輝度補正部とをさらに有してもよい。
【０００９】
輝度算出部は、第１画像全体の平均輝度と第２画像全体の平均輝度との輝度差を算出し、輝度補正部は、輝度差に基づいて、補間画像の輝度を補正してもよい。
【００１０】
輝度算出部は、補間画像の輝度と、第２補正画像における補間画像の周囲の輝度との輝度差を算出し、輝度補正部は、輝度差に基づいて、補間画像の輝度を補間画像の周囲の輝度に合わせる補正をしてもよい。
【００１１】
移動量算出部は、第１画像及び第２画像を複数の画素を含むブロックに分割し、ブロック毎に被写体の第１移動量を算出し、画像生成部は、ブロック毎の第１移動量に基づいて第１画像のブロック毎に画像処理を施して第２補正画像を生成してもよい。
【００１２】
発光制御部は、撮像部が第１画像を撮像する場合に発光部を発光させ、撮像部が第２画像を撮像する場合に発光部を発光させないくてもよい。
【００１３】
撮像部は、第１画素数の第１画像を撮像し、第１画素数より小さい第２画素数の第２画像を撮像してもよい。
【００１４】
撮像部は、所定の数の撮像素子から構成され、第１画像を撮像する第１撮像デバイスと、所定の数より少ない数の撮像素子から構成され、第２画像を撮像する第２撮像デバイスとを有してもよい。
【００１５】
撮像部は、第１画像をカラーで撮像する第１撮像デバイスと、第２画像をモノクロで撮像する第２撮像デバイスとを有してもよい。
【００１６】
撮像部は、第１画像、第２画像、及び第３画像を連続して撮像し、発光制御部は、第３画像を撮像部が撮像する場合に、第１画像を撮像部が撮像する場合と同じ明るさで発光部を発光させ、移動量算出部は、第１画像と第３画像との間における被写体の第２移動量を算出し、第１画像、第２画像、及び第３画像の撮像タイミング、並びに第２移動量に基づいて、第１移動量を算出してもよい。
【００１７】
第１画像をフレーム間圧縮しないで格納部に格納させ、第２補正画像をフレーム間圧縮して格納部に格納させる画像圧縮部をさらに備えてもよい。
【００１８】
本発明の第２の形態によると、第１画像及び第２画像を連続して撮像する段階と、第１画像を撮像する場合に第２画像を撮像する場合より強く発光する段階と、第１画像と第２画像との間における被写体の第１移動量を算出する段階と、第１移動量に基づいて第１画像に画像処理を施して第２補正画像を生成する段階と、第２画像に代替して第２補正画像を格納する段階とを備える。
【００１９】
なお上記の発明の概要は、本発明の必要な特徴の全てを列挙したものではなく、これらの特徴群のサブコンビネーションもまた発明となりうる。
【発明の効果】
【００２０】
本発明に係る撮像装置よれば、フラッシュ撮影により取得した画像を利用して、フラッシュを使用しないで撮影した画像の画質を向上させることができる。
【発明を実施するための最良の形態】
【００２１】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００２２】
図１は、本発明の一実施形態に係る撮像装置１００の構成の一例を示す。本実施形態に係る撮像装置１００においては、ストロボ装置により被写体に対して発光して取得した画像を用いて、被写体に対して発光しないで取得した画像の画質を向上させることを目的とする。例えば、動画撮影中において、所定の間隔で被写体に対して発光することによって所定のフレームのみを明るい画像で取得する。そして、被写体に対して発光することなく暗い画像で取得した他のフレームに対して、明るい画像で取得した所定のフレームを用いて画像処理を施す。これにより、全てのフレームを明るい画像、即ち高画質の画像とすることができる。また、動画撮影中にストロボ装置により被写体に対して発光して静止画を撮影した場合において、ユーザの所望のタイミングで静止画を撮影することができなかったときに、動画から抽出した所望のタイミングの画像に対して、ストロボ装置により被写体に発光して明るい画像で取得した静止画を用いて画像処理を施す。これにより、ユーザの所望のタイミングにおける静止画を明るい画像、即ち高画質の画像とすることができる。
【００２３】
撮像装置１００は、発光部１０２、発光制御部１０４、撮像部１０６、撮像画像格納部１０８、移動量算出部１１０、画像生成部１１２、画像圧縮部１１４、及び補正画像格納部１１６を備える。撮像装置１００は、例えば、動画撮影又は連写撮影ができるデジタルカメラ、携帯電話等である。
【００２４】
撮像部１０６は、第１画像及び第２画像を含む複数の画像を連続して撮像する。そして、撮像画像格納部１０８は、撮像部１０６が撮像した第１画像及び第２画像を含む複数の画像を格納する。また、発光部１０２は、被写体に対して発光する。発光部１０２は、例えば、ストロボ装置である。ここで、第１画像及び第２画像は、連続する複数の画像において隣接したタイミングで撮像された画像であってもよいし、連続する複数の画像において離れたタイミングで撮像された画像であってもよい。また、第１画像と第２画像とのいずれが先に撮像されてもよい。例えば、撮像部１０６は、動画撮影により１／６０秒間隔で複数のフレームを取得してもよいし、連写撮影により複数の静止画を取得してもよい。
【００２５】
発光制御部１０４は、発光部１０２による発光のタイミングを制御し、撮像部１０６による撮像タイミングと発光部１０２による発光タイミングとの同期制御を行う。具体的には、発光制御部１０４は、撮像部１０６が第１画像を撮像する場合に、撮像部１０６が第２画像を撮像する場合より、発光部１０２を強く発光させる。即ち、発光制御部１０４は、撮像部１０６が第１画像を撮像する場合に発光部１０２を強く発光させ、撮像部１０６が第２画像を撮像する場合に発光部１０２を弱く発光させてもよいし、また、発光制御部１０４は、撮像部１０６が第１画像を撮像する場合に発光部１０２を発光させ、撮像部１０６が第２画像を撮像する場合に発光部１０２を発光させなくてもよい。
【００２６】
移動量算出部１１０は、第１画像と第２画像との間における被写体の移動量を算出する。具体的には、移動量算出部１１０は、第１画像及び第２画像を、複数の画素を含むブロックに分割し、ブロック毎に被写体の移動量を算出する。より具体的には、移動量算出部１１０は、第１画像が含むブロックのそれぞれを、第２画像が含むブロックと比較してマッチングを行うことによって、第１画像と第２画像との間の被写体の移動量をブロック毎に算出する。
【００２７】
画像生成部１１２は、移動量算出部１１０が算出した移動量に基づいて第１画像に画像処理を施して第２補正画像を生成する。具体的には、画像生成部１１２は、移動量算出部１１０が算出したブロック毎の移動量に基づいて第１画像のブロック毎に画像処理を施して第２補正画像を生成する。より具体的には、画像生成部１１２は、第１画像が含むブロックを、移動量算出部１１０が算出したブロック毎の移動量シフトさせることによって、発光部１０２を発光させないで撮像した第２画像と被写体の位置が同一であって、発光部１０２を発光させて撮像した第１画像と明るさが同一の第２補正画像を生成する。
【００２８】
補正画像格納部１１６は、発光部１０２を発光させて撮像した第１画像と、発光部１０２を発光させないで撮像した第２画像に代替して画像生成部１１２が生成した第２補正画像を格納する。また、第１画像及び第２画像を含む複数の画像が動画の各フレームである場合には、画像圧縮部１１４は、第１画像をフレーム間圧縮しないで補正画像格納部１１６に格納させ、第２補正画像をフレーム間圧縮して補正画像格納部１１６に格納させる。
【００２９】
以上のように、本実施形態に係る撮像装置１００によれば、動画撮影において複数のフレームのうちの一部のフレームを発光部１０２を発光させて取得して、他のフレームを発光部１０２を発光させないで取得した場合であっても、全てのフレームを明るく高画質に補正することができ、明るく高画質な動画を取得することができる。また、動画撮影中に発光部１０２を発光させて静止画を取得する場合において、静止画を取得する所望のタイミングを逸したときでも、動画が有する所望のタイミングのフレームを、発光部１０２を発光させて取得した静止画に基づいて補正することにより、所望のタイミングにおける静明るく高画質な止画を取得することができる。さらに、所定の間隔で発光させることで、動画全体において明るく高画質の画像を取得することができるので、消費電力を低減させることができ、撮像装置１００の継続駆動可能時間を長時間化させることができる。
【００３０】
図２は、本実施形態に係る撮像部１０６の構成の一例を示す。撮像部１０６は、ハーフミラー２００、ＣＣＤ２０２、及びＣＣＤ２０４を有する。ハーフミラー２００は、被写体から放射される光を分光し、ＣＣＤ２０２及びＣＣＤ２０４に照射する。ＣＣＤ２０２は、本発明の第１撮像デバイスの一例であり、所定の数の撮像素子から構成され、発光部１０２が発光するタイミングで第１画像を撮像する。ＣＣＤ２０４は、本発明の第２撮像デバイスの一例であり、所定の数より少ない数の撮像素子から構成され、発光部１０２が発光しないタイミングで第２画像を撮像する。即ち、撮像部１０６は、所定の数である第１画素数の第１画像を撮像し、第１画素数より小さい第２画素数の第２画像を撮像する。また、ＣＣＤ２０２は、赤、緑、及び青のカラーフィルタを含み、第１画像をカラーで撮像し、ＣＣＤ２０４は、第２画像をモノクロで撮像してもよい。
【００３１】
本実施形態に係る撮像装置１００によれば、第１画像と第２画像との間における被写体の移動量を算出することができれば、第１画像及び移動量に基づいて、第２補正画像を生成することができる。したがって、第２画像は、被写体の移動量が算出できる程度であれば、画素数が小さくてもよく、またモノクロであってもよい。このように、画素数の少ないＣＣＤ２０４、またモノクロ撮像のＣＣＤ２０４を用いることによって、撮像装置１００の価格を低減させることができる。
【００３２】
なお、以上に示した形態は、本実施形態の一例にすぎず、他の例においては、撮像部１０６は、第１画像及び第２画像を含む複数の画像を１つのＣＣＤで撮像してもよい。また、撮像部１０６が２つのＣＣＤを有する場合に、２つのＣＣＤが同一の数の画素で構成され、２つのＣＣＤがカラーで第１画像及び第２画像を撮像してもよい。
【００３３】
図３は、本実施形態に係る画像生成部１１２の構成の一例を示す。また、図４は、本実施形態に係る画像生成部１１２による画像生成方法の一例を示す。以下、図３及び図４を参照して画像生成方法について説明する。
【００３４】
図３に示すように、画像生成部１１２は、第１補正画像生成部３００、補間画像抽出部３０２、第２補正画像生成部３０４、輝度算出部３０６、及び輝度補正部３０８を有する。また、図４に示すように、第１画像４００は、発光部１０２が発光したときに撮像部１０６によって撮像された画像であり、第２画像４０２は、発光部１０２が発光しなかったときに撮像部１０６によって撮像された画像である。
【００３５】
まず、移動量算出部１１０は、撮像部１０６によって撮像されて撮像画像格納部１０８に格納された第１画像４００及び第２画像４０２とを比較することによって、第１画像４００と第２画像４０２との間における被写体Ａ及びＢの移動量４０４を算出する。そして、第１補正画像生成部３００は、移動量算出部１１０が算出した移動量に基づいて第１画像４００が含む被写体を移動させて第１補正画像４０６を生成する。本例においては、第１画像４００と第２画像４０２との間において、被写体Ａは移動していなく、被写体Ｂは移動しているので、第１補正画像生成部３００は、被写体Ｂだけを移動させて第１補正画像４０６を生成する。
【００３６】
次に、補間画像抽出部３０２は、第１補正画像生成部３００が生成した第１補正画像４０６と、撮像部１０６によって撮像されて撮像画像格納部１０８に格納された第２画像４０２とを比較して、第１補正画像４０６に含なれていなく第２画像４０２に含まれている被写体Ｃの画像である補間画像４０８を抽出する。そして、第２補正画像生成部３０４は、第１補正画像生成部３００が生成した第１補正画像４０６と、補間画像抽出部３０２が抽出した補間画像４０８とを合成して第２補正画像４１０を生成する。
【００３７】
次に、輝度算出部３０６は、第１画像４００と第２画像４０２との輝度の違いを算出する。そして、輝度補正部３０８は、第１画像４００と第２画像４０２との輝度の違いに基づいて、第２補正画像４１０の輝度を補正して第２補正画像４１２を生成する。例えば、輝度算出部３０６は、第１画像４００全体の平均輝度と第２画像４０２全体の平均輝度との輝度差を算出し、輝度補正部３０８は、算出した輝度差に基づいて、補間画像４０８の輝度を補正して第２補正画像４１２を生成してもよい。又は、輝度算出部３０６は、補間画像４０８の輝度と、第２補正画像４１０における補間画像４０８の周囲の輝度との輝度差を算出し、輝度補正部３０８は、算出した輝度差に基づいて、補間画像４０８の輝度を補間画像４０８の周囲の輝度に合わせる補正をして第２補正画像４１２を生成してもよい。
【００３８】
以上のように、暗く撮像された第２画像４０２の撮像タイミングにおける被写体の画像である第２補正画像４１２を、明るく撮像された第１画像４００を用いて生成することができる。また、第１画像４００に含まれず第２画像４０２に含まれる被写体Ｃについては、第２画像４０２に含まれる暗い画像しか存在しないが、上述のように、第１画像４００及び第２画像４０２の輝度に基づいて、被写体Ｃの明るさを補正することによって、高画質の第２補正画像４１２を取得することができる。
【００３９】
図５は、本実施形態に係る移動量算出部１１０による移動量算出方法の一例を示す。上述の例では、移動量算出部１１０は、発光部１０２に発光させて撮像した第１画像と、発光部１０２に発光させないで撮像した第２画像とを比較することにより、第１画像と第２画像との間における被写体の移動量を算出したが、発光部１０２に発光させて撮像した第１画像及び第３画像と用いて、第１画像と第２画像との間における被写体の移動量を算出してもよい。
【００４０】
撮像部１０６は、第１画像、第２画像、及び第３画像を連続して撮像する。第１画像は、発光部１０２が発光したときに撮像部１０６によって撮像された画像であり、第２画像は、発光部１０２が発光しなかったときに撮像部１０６によって撮像された画像であり、第３画像は、発光部１０２が発光したときに撮像部１０６によって撮像された画像である。即ち、発光制御部１０４は、第３画像を撮像部１０６が撮像する場合に、第１画像を撮像部１０６が撮像する場合と同じ明るさで発光部１０２を発光させる。
【００４１】
そして、移動量算出部１１０は、第１画像と第３画像との間における被写体の移動量を算出する。そして、移動量算出部１１０は、第１画像、第２画像、及び第３画像の撮像タイミング、並びに第１画像と第３画像との間における被写体の移動量に基づいて、第１画像と第２画像との間における被写体の移動量を算出する。例えば、図５に示すように、発光部１０２による発光と発光との間で撮像部１０６が１つの第２画像を撮像する場合には、第１画像と第３画像との間における被写体の移動量の半分を、第１画像と第２画像との間における被写体の移動量として算出する。即ち、第１画像と第３画像との間の被写体の移動量に、第１画像と第２画像との時間間隔を第１画像と第３画像との時間間隔で割った値を掛けることによって、第１画像と第２画像との被写体の移動量を算出する。
【００４２】
なお、図５においては、発光部１０２が発光したときに撮像された２つの第１画像及び第３画像を用いて、一次関数を利用した線形補間により第１画像と第２画像との間の被写体移動量を算出する例を説明したが、発光部１０２が発光したときに撮像された３つ以上の画像を用いて、２次関数等の多次関数を利用した非線形補間により第１画像と第２画像との間の被写体移動量を算出してもよい。
【００４３】
図６は、本実施形態に係る画像圧縮部１１４による画像圧縮方法の一例を示す。ここでは、本実施形態に係る撮像装置１００によって複数のフレームを含む動画を撮像して明るいフレームを用いて暗いフレームを補正した後、ＭＰＥＧ等により動画を圧縮する方法を説明する。
【００４４】
フレーム６００及び６１２は、発光部１０２が発光したときに撮像部１０６によって撮像された画像である。フレーム６０２、６０４、６０６、６０８、６１０、６１４、・・・は、発光部１０２が発光しなかったときに撮像部１０６によって撮像された画像である。
【００４５】
図１から図５において説明したように、画像生成部１１２は、フレーム６００を用いてフレーム６０２、６０４、６０６、６０８、及び６１０を明るい画像に補正して、フレーム６２２、６２４、６２６、６２８、及び６３０を生成する。また、画像生成部１１２は、フレーム６１２を用いてフレーム６１４、・・・を明るい画像に補正して、フレーム６４４・・・を生成する。
【００４６】
そして、画像圧縮部１１４は、発光部１０２が発光したときに撮像部１０６によって撮像されたフレーム６００及び６１２、並びに画像生成部１１２によって生成された６２２、６２４、６２６、６２８、６３０、６４４・・・を圧縮する。このとき、画像圧縮部１１４は、発光部１０２が発光したときに撮像部１０６によって撮像されたフレーム６００及び６１２に対してはフレーム間圧縮を行わず、画像生成部１１２によって生成されたフレーム６２２、６２４、６２６、６２８、６３０、６４４・・・に対してはフレーム間圧縮を行う。例えば、ＭＥＰＧにより動画圧縮を行う場合には、フレーム６００及び６１２をＩピクチャ６５０及び６６２とし、フレーム６２２、６２４、６２６、６２８、６３０、６４４・・・をＢピクチャ６５２、６５４、６５８、６６０・・・又はＰピクチャ６５６・・・とする。
【００４７】
このように、発光部１０２が発光したときに撮像され、予め明るく高画質で撮像されたフレームに対してフレーム間圧縮を行わずに保存し、発光部１０２が発光しなかったときに撮像され、暗く低画質で撮像された後に画像処理により生成されたフレームに対してフレーム間圧縮を行って保存することによって、動画を再生する場合に、より現実の被写体に近い画像を生成して表示することができる。
【００４８】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００４９】
【図１】撮像装置１００の構成の一例を示す図である。
【図２】撮像部１０６の構成の一例を示す図である。
【図３】画像生成部１１２の構成の一例を示す図である。
【図４】画像生成部１１２による画像生成方法の一例を示す図である。
【図５】移動量算出部１１０による移動量算出方法の一例を示す図である。
【図６】画像圧縮部１１４による画像圧縮方法の一例を示す図である。
【符号の説明】
【００５０】
１００  撮像装置
１０２  発光部
１０４  発光制御部
１０６  撮像部
１０８  撮像画像格納部
１１０  移動量算出部
１１２  画像生成部
１１４  画像圧縮部
１１６  補正画像格納部
２００  ハーフミラー
２０２  ＣＣＤ
２０４  ＣＣＤ
３００  第１補正画像生成部
３０２  補間画像抽出部
３０４  第２補正画像生成部
３０６  輝度算出部
３０８  輝度補正部
４００  第１画像
４０２  第２画像
４０４  移動量
４０６  第１補正画像
４０８  補間画像
４１０  第２補正画像
４１２  第２補正画像
【図１】
2005318450.tif 000003
【図２】
2005318450.tif 000004
【図３】
2005318450.tif 000005
【図４】
2005318450.tif 000006
【図５】
2005318450.tif 000007
【図６】
2005318450.tif 000008